(57)【要約】【課題】表示パネルの背面を覆うシャーシが視認されにくく、光の漏れが抑制されて良好な外観品位を有し、シャーシの塗装工程を省略できるのでコストが削減される表示装置、及び該表示装置を備えるテレビジョン受信機を提供する。【解決手段】ＴＶ受信機１は、表示パネル２と、表示パネル２の背面を覆う箱状のシャーシ６と、シャーシ６の側面を覆う側板部３２を有する側面被覆キャビネット３と、シャーシ６の背面を覆う背面被覆キャビネット４と、背面被覆キャビネット４の周縁部から側板部３２の内面に沿って突出する光漏れ防止リブ４１とを備える。【選択図】図３
2019144354.tif 000002
【特許請求の範囲】
【請求項１】
表示パネルと、
該表示パネルの背面を覆う箱状のシャーシと、
前記シャーシの側面を覆う側板部を有する側面被覆キャビネットと、
前記シャーシの背面を覆う背面被覆キャビネットと、
該背面被覆キャビネットの周縁部から前記側板部の内面に沿って突出する光漏れ防止リブと
を備えることを特徴とする表示装置。
【請求項２】
前記周縁部における、前記光漏れ防止リブの内側に設けられ、前記シャーシの背面に当接する突起部を有する当接リブを備えることを特徴とする請求項１に記載の表示装置。
【請求項３】
前記背面被覆キャビネットを前記シャーシに螺着する螺着部を有し、
前記突起部は、前記螺着部の前記周縁部側に対応する位置に設けられていることを特徴とする請求項２に記載の表示装置。
【請求項４】
前記背面被覆キャビネットが前記シャーシに螺着されて、前記突起部が前記シャーシに押圧されていることを特徴とする請求項３に記載の表示装置。
【請求項５】
前記当接リブと、前記螺着部とを接続する接続リブを備えることを特徴とする請求項３又は４に記載の表示装置。
【請求項６】
前記光漏れ防止リブは、前記背面被覆キャビネットの少なくとも一方の長辺部分を含む周縁部に沿って設けられていることを特徴とする請求項１から５までのいずれか１項に記載の表示装置。
【請求項７】
請求項１から６までのいずれか１項に記載の表示装置と、
テレビジョン放送を受信する受信部と
を備え、
前記受信部にて受信したテレビジョン放送に基づいて、前記表示装置に映像を表示することを特徴とするテレビジョン受信機。
【発明の詳細な説明】
【技術分野】
【０００１】
本発明は、表示パネル、表示パネルの背面を覆うシャーシ、シャーシの背面を覆う背面被覆キャビネット、及びシャーシの側面を覆う側面被覆キャビネットを備える表示装置、並びに該表示装置を備えるテレビジョン受信機に関する。
【背景技術】
【０００２】
例えば液晶テレビジョン受信機等のテレビジョン受信機（以下、ＴＶ受信機という）は、正面側で映像を表示する横長の表示パネルを有する表示モジュールと、表示モジュールの正面及び背面を挟むようにして収容するフロントキャビネット及びリアキャビネットと、スタンドとを備える。フロントキャビネットは、表示パネルの前側の周縁部を覆う前板部と、表示パネルの側面を覆う側板部とを備える。
【０００３】
エッジライト型である場合、表示モジュールは、例えば表示パネルと、拡散シート，レンズシート，ＤＢＥＦシート（反射型偏光シート）等からなる光学シート群と、パネルシャーシと、導光板と、反射シートと、ＬＥＤ基板と、ＢＬ（バックライト）シャーシとを備える。ＢＬシャーシは箱状をなし、表示パネルの背面を覆う底板部と、表示パネルの側面を覆う側板部とを有する。
直下型である場合、表示モジュールは、導光板の代わりに拡散板を有する。
【０００４】
通常、ＢＬシャーシは金属製であり、フロントキャビネット及びリアキャビネットは合成樹脂製である。互いに合成樹脂製であるので、リアキャビネットとフロントキャビネットとが対向する部分は、環境温度が変化したときの収縮を考慮して隙間を設けている。
フロントキャビネットの側板部とＢＬシャーシの側板部との間、及び該側板部の端面とのフロントキャビネットの前板部との間には隙間があり、この隙間から漏れた表示モジュールの光が、リアキャビネットとフロントキャビネットとの前記隙間から漏れるという問題があった。前記隙間からはＢＬシャーシの背面が視認されることもあり、外観品位が悪くなっていた。
【０００５】
特許文献１の車両用表示装置は隙間を有し、内蔵する光源からの光が隙間を通って外部に漏れるのを抑制するために、隙間の内側に、黒色に塗装した光吸収部を備える。
上述の表示装置においても、ＢＬシャーシの底板部の正面視の上側及び両側に対応する三辺の部分に対して、５〜１０ｍｍ幅で黒色に塗装し、底板部を見えにくくするともに、光を吸収することを図っていた。
【先行技術文献】
【特許文献】
【０００６】
【特許文献１】特開２０１６−１７９１１号公報
【発明の概要】
【発明が解決しようとする課題】
【０００７】
ＢＬシャーシの前記塗装作業は煩雑である。塗装工程を省略してコストを削減した状態で、ＢＬシャーシを視認しにくくし、光の漏れを抑制して良好な外観品位を得ることが求められている。
【０００８】
本発明は斯かる事情に鑑みてなされたものであり、表示パネルの背面を覆うシャーシが視認されにくく、光の漏れが抑制されて良好な外観品位を有し、シャーシの塗装工程を省略できるのでコストが削減される表示装置、及び該表示装置を備えるテレビジョン受信機を提供することを目的とする。
【課題を解決するための手段】
【０００９】
本発明に係る表示装置は、表示パネルと、該表示パネルの背面を覆う箱状のシャーシと、前記シャーシの側面を覆う側板部を有する側面被覆キャビネットと、前記シャーシの背面を覆う背面被覆キャビネットと、該背面被覆キャビネットの周縁部から前記側板部の内面に沿って突出する光漏れ防止リブとを備えることを特徴とする。
【００１０】
本発明に係るテレビジョン受信機は、上述の表示装置と、テレビジョン放送を受信する受信部とを備え、前記受信部にて受信したテレビジョン放送に基づいて、前記表示装置に映像を表示することを特徴とする。
【発明の効果】
【００１１】
本発明によれば、背面被覆キャビネットの周縁部から側面被覆キャビネットの側板部の内面に沿って突出する光漏れ防止リブを備えるので、シャーシの背面が視認されにくい。そして、シャーシの側面と前記側板部との隙間から漏れる光が遮光されるので、背面被覆キャビネットと側面被覆キャビネットとの隙間から光が漏れるのが抑制される。従って、表示装置の外観品位が良好である。また、異物の混入も防止される。振動時に、背面被覆キャビネットの周縁部がシャーシ側に動くことも抑制される。
従来の表示装置のように、シャーシの背面に塗装する工程が不要であり、工程数が減じ、コストが削減される。
【図面の簡単な説明】
【００１２】
【図１】実施の形態１に係る表示装置を備えるＴＶ受信機の斜視図である。
【図２】ＴＶ受信機の背面図である。
【図３】図２のIII −III 線一部断面図である。
【図４】リアキャビネットの一部正面図である。
【図５】図４のＶ−Ｖ線一部断面図である。
【図６】図４のVI−VI線一部断面図である。
【図７】図４のVII −VII 線一部断面図である。
【発明を実施するための形態】
【００１３】
以下、本発明をその実施の形態を示す図面に基づいて具体的に説明する。
実施の形態１．
図１は実施の形態１に係る表示装置を備えるＴＶ受信機１の斜視図、図２はＴＶ受信機１の背面図、図３は図２のIII −III 線一部断面図、図４はリアキャビネット４の一部正面図、図５は図４のＶ−Ｖ線一部断面図、図６は図４のVI−VI線一部断面図、図７は図４のVII −VII 線一部断面図である。
【００１４】
図１に示すように、ＴＶ受信機１は、表示パネル２を有する表示モジュール１１と、表示モジュール１１を挟むようにして収容するフロントキャビネット３及びリアキャビネット４と、アンテナ（不図示）から放送波を受信するチューナ７と、符号化された放送波を復号するデコーダ８と、スタンド９とを備える。表示モジュール１１は、全体として横長の略直方体状をなし、縦姿勢でフロントキャビネット３及びリアキャビネット４内に収容されている。
フロントキャビネット３は例えばＰＣ（ポリカーボネート）、ＡＢＳ樹脂（アクリロニトリル・ブタジエン・スチレン共重合樹脂）等の合成樹脂からなり、横長の矩形枠状をなす。リアキャビネット４は例えばＰＣ、ＡＢＳ樹脂等の合成樹脂からなり、表示モジュール１１の背面を覆うように箱状をなしている。
以下、表示モジュール１１がエッジ型である場合につき説明するが、表示モジュール１１は直下型であってもよい。
【００１５】
図３に示すように、表示モジュール１１は、表示パネル２と、ＤＢＥＦシート（反射型偏光シート）１２ａ、拡散シート１２ｂ、及びレンズシート１２ｃ等からなる光学シート群１２と、パネルシャーシ５と、導光板１０と、反射シート１４と、ＬＥＤ基板（不図示）と、ＢＬシャーシ６とを備える。
表示動作の際には、導光板１０から面状の光が出射され、その光によって表示パネル２の背面が照明される。
【００１６】
表示パネル２は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が介在する。そして、２枚の偏光板は、カラーフィルタ基板及びＴＦＴ基板夫々の、液晶層側とは反対側の面上に配されている。
【００１７】
ＢＬシャーシ６は例えばアルミニウム等の金属からなり、正面側が開口された略箱状をなし、底板部６１と側板部６２とを有する。底板部６１は、周縁部が他部より正面側に突出しており、突出した部分に反射シート１４及び導光板１０の周縁部が載置されている。導光板１０の正面には光学シート群１２が載置されている。光学シート群１２によって、導光板１０の主面から出射された光の拡散及び集光等が行われる。ＢＬシャーシ６に、反射シート１４、導光板１０、ＬＥＤ基板、及び光学シート群１２が収納されている。
底板部６１の背面には、前記チューナ７、及びデコーダ８、及びＣＰＵ等を備えるメイン基板（不図示）が設けられている。
【００１８】
フロントキャビネット３は枠状をなし、表示パネル２の正面の周縁部を覆う前板部３１と、ＢＬシャーシ６の側板部６２を覆う側板部３２とを有する。
【００１９】
パネルシャーシ５は額縁状をなす。パネルシャーシ５は正面の幅方向の中央部に、前側に突出する係止リブ５１を有し、係止リブ５１は前板部３１の背面に係止されている。パネルシャーシ５の正面の内周縁部と、前板部３１の背面の内周縁部との間には、正面側に配置した緩衝材１３、及び背面側に配置した緩衝材１３を介して、表示パネル２の周縁部が挟持されている。パネルシャーシ５の背面側部分と底板部６１との正面との間に、反射シート１４、導光板１０、及び光学シート群１２が挟持されている。
パネルシャーシ５の上面とフロントキャビネット３の側板部３２との間には、ＢＬシャーシ６の側板部６２が介在する。
以上により、表示モジュール１１の表示パネル２、光学シート群１２、導光板１０、及びＢＬシャーシ６が一体化されている。
【００２０】
リアキャビネット４は、表示モジュール１１の背面を覆うように箱状をなしている。図３に示すように、リアキャビネット４は、中央部からフロントキャビネット３に向かって傾斜している。
図２〜図５に示すように、リアキャビネット４は、周縁部及び中央寄りの部分に複数の凹部４６を有する。凹部４６の底部の中央部には、挿通孔４６ａが設けられ、ＢＬシャーシ６の底板部６１の挿通孔４６ａに対向する部分には雌ネジ６３が設けられている。ネジ４７が挿通孔４６ａに挿通され、雌ネジ６３にねじ込まれて、リアキャビネット４がＢＬシャーシ６に螺着されている。なお、図２においては、２箇所のみ、凹部４６の符号を付しているが、ネジ４７は全て凹部４６に取り付けられている。
【００２１】
リアキャビネット４は、図２における上側の長辺に沿い、長辺の両端部から両短辺に沿って両短辺の略中央部まで、即ち１１個のネジ４７の螺着部（凹部４６におけるネジ４７の固定部分）に対応して逆Ｕ字状に設けられており、側板部３２の内面に沿って正面側に突出する光漏れ防止リブ４１を有する。
【００２２】
リアキャビネット４は、さらに、光漏れ防止リブ４１の内側に、光漏れ防止リブ４１と略平行に逆Ｕ字状に設けられ、正面側に突出する当接リブ４２を有する。
図３、図４〜図６に示すように、当接リブ４２の正面側には、凹部４６に対応して、底板部６１の背面に当接する突起部４３が設けられている。突起部４３は、リアキャビネット４において前記逆Ｕ字状に配置された各凹部４６の、リアキャビネット４の周縁部側に、即ち、図４に示すように、凹部４６から周縁部に下した垂線上に設けられている。突起部４３の突出長の一例として、０．２〜０．３ｍｍが挙げられる。
当接リブ４２と凹部４６との間には、当接リブ４２と凹部４６とを接続する三角形状の接続リブ４４が設けられており、当接リブ４２と光漏れ防止リブ４１との間には、当接リブ４２と光漏れ防止リブ４１とを接続する四角形状の接続リブ４５が設けられている。
【００２３】
図４、図６、及び図７に示すように、リアキャビネット４の凹部４６が設けられていない部分においては、当接リブ４２に突起部４３は設けられておらず、光漏れ防止リブ４１及び当接リブ４２の先端部は、鉛直線上にある。当接リブ４２から中央寄りの部分には、ＢＬシャーシ６の底板部６１に当接するリブ４８が設けられている。
【００２４】
本実施形態においては、光漏れ防止リブ４１を備えるので、底板部６１の背面が視認されにくい。そして、表示モジュール１１の側板部６２と側板部３２との隙間から漏れる光が遮光されるので、リアキャビネット４とフロントキャビネット３との隙間から光が漏れるのが抑制される。従って、ＴＶ受信機１の外観品位が良好である。また、異物の混入も防止される。振動時に、リアキャビネット４の周縁部がＢＬシャーシ６側に動くことも抑制される。光漏れ防止リブ４１は、リアキャビネット４の背面の三辺に対し、逆Ｕ字状に設けられている場合、ＢＬシャーシ６の視認、光の漏れ、異物の混入、及び振動時のリアキャビネット４の周縁部の動きがより良好に抑制される。
従来の表示装置のように、ＢＬシャーシ６の背面に塗装する工程が不要であり、工程数が減じ、コストが削減される。
なお、光漏れ防止リブ４１は、リアキャビネット４の背面に逆Ｕ字状に連続的に設けられている場合に限定されない。リアキャビネット４の背面の全周に設けてもよく、リアキャビネット４の背面の必要とされる部分に、断続的に設けることにしてもよい。
【００２５】
本実施形態においては、低温環境下でリアキャビネット４が収縮し、当接リブ４２においてＢＬシャーシ６に向かう力が働き、突起部４３がＢＬシャーシ６を押圧するときに当接リブ４２の弾性により反力が生じ、リアキャビネット４の他の部分に応力が生じて変形するのが抑制される。
突起部４３は底板部６１に点接触している。リブを面接触させて押圧するように構成した場合、温度変化によりリアキャビネット４が膨張又は収縮したときに、面接触している部分のいずれかの部分に応力が生じ、隙間が生じたり、きしみ音が生じたりする虞があるが、本実施形態においては、この問題は生じない。
【００２６】
リアキャビネット４とＢＬシャーシ６との材料の違いによる収縮量の差異から螺着部（ネジ４７による固定部分）において、反り等の変形が生じ易い。
本実施形態の構成によれば、リアキャビネット４がＢＬシャーシ６側に収縮するとき、突起部４３で反力が生じ、螺着部で応力が生じることが抑制されるので、螺着部におけるリアキャビネット４の変形が抑制される。
【００２７】
図３に示すように、ネジ４７を、挿通孔４６ａに挿通して雌ネジ６３にねじ込んだときに、力が、接続リブ４４を介して当接リブ４２に伝わり、凹部４６の、リアキャビネット４の周縁部側に設けられた突起部４３を、底板部６１の周縁部に、容易に、強く押し当てることができる。
リアキャビネット４がＢＬシャーシ６側に収縮する前に、突起部４３がＢＬシャーシ６の背面に押圧されているので、反力が生じ、突起部４３が動きにくくなっている。従って、リアキャビネット４がＢＬシャーシ６側に収縮し、突起部４３に力がかかったときに吸収され、螺着部におけるリアキャビネット４の変形が良好に抑制される。ＴＶ受信機１の振動時のリアキャビネット４の動きも良好に抑制される。
リアキャビネット４が熱膨張し、突起部４３において背側に向かう力が生じた場合においても、突起部４３が底板部６１に押圧されているので、前記力が吸収され、突起部４３と底板部６１との間に隙間が生じ難く、リアキャビネット４が変形するのが抑制されている。
なお、当接リブ４２も、リアキャビネット４の背面に逆Ｕ字状に設けられている場合に限定されない。リアキャビネット４の背面の全周に設けてもよく、リアキャビネット４の背面の必要とされる部分に、断続的に設けることにしてもよい。
【００２８】
本実施形態においては、リアキャビネット４が光漏れ防止リブ４１と当接リブ４２との２本のリブを有するので、リアキャビネット４の強度が向上している。
光漏れ防止リブ４１は底板部６１から浮いており、当接リブ４２も突起部４３が設けられている部分以外の部分は底板部６１から浮いているので、底板部６１に干渉せず、リアキャビネット４の周縁部が正背方向に動いたときに吸収することができる。リアキャビネット４が収縮した場合においては、上述したように、突起部４３によってリアキャビネット４の変形が抑制される。
【００２９】
以上のように、本発明の一態様に係る表示装置１は、表示パネル２と、該表示パネル２の背面を覆う箱状のシャーシ６と、前記シャーシ６の側面を覆う側板部３２を有する側面被覆キャビネット３と、前記シャーシ６の背面を覆う背面被覆キャビネット４と、該背面被覆キャビネット４の周縁部から前記側板部３２の内面に沿って突出する光漏れ防止リブ４１とを備えることを特徴とする。
【００３０】
上記構成によれば、背面被覆キャビネット４の周縁部から側面被覆キャビネット３の側板部３２の内面に沿って突出する光漏れ防止リブ４１を備えるので、シャーシ６の背面が視認されにくい。そして、シャーシ６の側面と前記側板部３２との隙間から漏れる光が遮光されるので、背面被覆キャビネット４と側面被覆キャビネット３との隙間から光が漏れるのが抑制される。従って、表示装置１の外観品位が良好である。また、異物の混入も防止される。振動時に、背面被覆キャビネット４の周縁部がシャーシ６側に動くことも抑制される。
従来の表示装置のように、シャーシ６の背面に塗装する工程が不要であり、工程数が減じ、コストが削減される。
【００３１】
本発明の一態様に係る表示装置１は、前記周縁部における、前記光漏れ防止リブ４１の内側に設けられ、前記シャーシ６の背面に当接する突起部４３を有する当接リブ４２を備えることを特徴とする。
【００３２】
上記構成によれば、低温環境下で背面被覆キャビネット４が収縮し、当接リブ４２においてシャーシ６に向かう力が働き、突起部４３がシャーシ６を押圧するときに反力（弾性力）が生じるので、背面被覆キャビネット４に応力が生じて変形するのが抑制される。突起部４３はシャーシ６に点接触しており、面接触させて押圧する場合と異なり、温度変化により背面被覆キャビネット４が膨張又は収縮したときに、面接触している部分のいずれかの部分に応力が生じ、隙間が生じたり、きしみ音が生じたりすることはない。
【００３３】
本発明の一態様に係る表示装置１は、前記背面被覆キャビネット４を前記シャーシ６に螺着する螺着部４６，４７を有し、前記突起部４３は、前記螺着部４６，４７の前記周縁部側に対応する位置に設けられていることを特徴とする。
【００３４】
低温環境下で背面被覆キャビネット４が収縮するとき、背面被覆キャビネット４とシャーシ６との収縮量の差異から螺着部４６，４７で、背面被覆キャビネット４の変形が生じ易い。
上記構成によれば、背面被覆キャビネット４がシャーシ６側に収縮するとき、突起部４３で反力が生じ、螺着部４６，４７で応力が生じることが抑制されるので、螺着部４６，４７における背面被覆キャビネット４の変形が抑制される。
【００３５】
本発明の一態様に係る表示装置１は、前記背面被覆キャビネット４が前記シャーシ６に螺着されて、前記突起部４３が前記シャーシ６に押圧されていることを特徴とする。
【００３６】
上記構成によれば、背面被覆キャビネット４がシャーシ６側に収縮する前に、突起部４３がシャーシ６の背面に押圧されているので、反力が生じ、突起部４３が動きにくくなっている。従って、背面被覆キャビネット４がシャーシ６側に収縮し、突起部４３に力がかかったときに吸収され、螺着部４６，４７における背面被覆キャビネット４の変形が抑制される。
【００３７】
本発明の一態様に係る表示装置１は、前記当接リブ４２と、前記螺着部４６，４７とを接続する接続リブ４４を備えることを特徴とする。
【００３８】
上記構成によれば、背面被覆キャビネット４をシャーシ６に螺着するときに、突起部４３をシャーシ６に押し付ける力が大きくなる。
【００３９】
本発明の一態様に係る表示装置１は、前記光漏れ防止リブ４１は、前記背面被覆キャビネット４の少なくとも一方の長辺部分を含む周縁部に沿って設けられていることを特徴とする。
【００４０】
上記構成によれば、シャーシ６の視認及び光の漏れが良好に抑制され、表示装置１の外観品位がより良好になる。
【００４１】
本発明の一態様に係るテレビジョン受信機１は、上述のいずれかの表示装置１と、テレビジョン放送を受信する受信部７とを備え、前記受信部７にて受信したテレビジョン放送に基づいて、前記表示装置１に映像を表示することを特徴とする。
【００４２】
上記構成によれば、シャーシ６の背面が視認されにくく、光が漏れるのが抑制されるので、表示装置１の外観品位が良好である。そして、異物の混入も防止される。
【００４３】
本発明は上述した実施の形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
【００４４】
例えば、本発明の表示装置はＴＶ受信機に適用する場合には限定されない。パーソナルコンピュータ等の表示装置にも適用することができる。
本実施形態においては、側面被覆キャビネットとしてフロントキャビネット３を適用した場合につき説明しているが、これに限定されず、ＢＬシャーシ６の側板部６２を覆うミドルシャーシであってもよい。
そして、本実施形態においては、リアキャビネット４が光漏れ防止リブ４１及び当接リブ４２の両方を備える場合につき説明しているが、これに限定されず、光の漏れを抑制することを目的として、光漏れ防止リブ４１のみを備えることにしてもよい。
【符号の説明】
【００４５】
１  ＴＶ受信機
１１  表示モジュール
２  表示パネル
３  フロントキャビネット
３１  前板部
３２  側板部
４  リアキャビネット
４１  光漏れ防止リブ
４２  当接リブ
４３  突起部
４４、４５  接続リブ
４６  凹部
４６ａ  挿通孔
４７  ネジ
５  パネルシャーシ
５１  係止リブ
６  ＢＬシャーシ
６１  底板部
６２  側板部
６３  雌ネジ
【図１】
2019144354.tif 000003
【図２】
2019144354.tif 000004
【図３】
2019144354.tif 000005
【図４】
2019144354.tif 000006
【図５】
2019144354.tif 000007
【図６】
2019144354.tif 000008
【図７】
2019144354.tif 000009